(57)【特許請求の範囲】
【請求項１】
被写体から放出された放射線を検出する核医学診断装置において、
被写体から放出された放射線を検出する検出手段と、
前記検出手段の内側に形成される所定領域の内側と被写体との間に被写体と略等しい吸収係数を有する放射線吸収材を満たす供給手段と、
前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、を備え、
前記推定吸収係数は、前記所定領域に一律に対応付けられた定数であり、
前記吸収補正手段は、エミッションデータが所定領域内において前記推定吸収係数で吸収されたものとして、エミッションデータを吸収補正することを特徴とする核医学診断装置。
【請求項２】
被写体から放出された放射線を検出する核医学診断装置において、
被写体から放出された放射線を検出する検出手段と、
前記検出手段の内側に形成される所定領域の内側と被写体との間に被写体と略等しい吸収係数を有する放射線吸収材を満たす供給手段と、
前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、を備え、
前記推定吸収係数は、前記所定領域に一律に対応付けられた定数であり、
前記検出手段は複数の検出器素子を有し、
前記補正係数は、各エミッションデータに対応する２つの検出素子を結ぶ仮想線をそれぞれ検出素子対として、検出素子対が前記所定領域を通る距離に応じてエミッションデータ毎に算出される値であることを特徴とする核医学診断装置。
【請求項３】
被写体から放出された放射線を検出する核医学診断装置において、
被写体から放出された放射線を検出する検出手段と、
前記検出手段の内側に形成される所定領域の内側と被写体との間に満たされた、被写体と略等しい吸収係数を有する放射線吸収材と、
前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、
を備え、
前記推定吸収係数は、前記所定領域に一律に対応付けられた定数であり、
前記吸収補正手段は、エミッションデータが所定領域内において前記推定吸収係数で吸収されたものとして、エミッションデータを吸収補正することを特徴とする核医学診断装置。
【請求項４】
被写体から放出された放射線を検出する核医学診断装置において、
被写体から放出された放射線を検出する検出手段と、
前記検出手段の内側に形成される所定領域の内側と被写体との間に満たされた、被写体と略等しい吸収係数を有する放射線吸収材と、
前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、
を備え、
前記推定吸収係数は、前記所定領域に一律に対応付けられた定数であり、
前記検出手段は複数の検出器素子を有し、
前記補正係数は、各エミッションデータに対応する２つの検出素子を結ぶ仮想線をそれぞれ検出素子対として、検出素子対が前記所定領域を通る距離に応じてエミッションデータ毎に算出される値であることを特徴とする核医学診断装置。
【請求項５】
請求項３または請求項４に記載の核医学診断装置において、
さらに、前記放射線吸収材を前記所定領域に供給する供給手段を備えていることを特徴とする核医学診断装置。
【請求項６】
請求項１から請求項５のいずれかに記載の核医学診断装置において、
前記所定領域は、前記検出手段の内側面で区画されることを特徴とする核医学診断装置。
【請求項７】
請求項１から請求項５のいずれかに記載の核医学診断装置において、
さらに、前記検出手段の内側に配置され、前記放射線吸収材および被写体を収容する収容部材を備え、
前記所定領域は前記収容部材で区画されることを特徴とする核医学診断装置。
【請求項８】
請求項１から請求項７のいずれかに記載の核医学診断装置において、
前記放射線吸収材は、水または肉の少なくともいずれかを含むことを特徴とする核医学診断装置。
【請求項９】
請求項１から請求項８のいずれかに記載の核医学診断装置において、
前記位置情報と前記推定吸収係数とに基づいて前記補正係数を算出する算出手段を備え、
前記吸収補正手段は前記算出手段によって得られた補正係数を用いて処理することを特徴とする核医学診断装置。
【請求項１０】
請求項１から請求項８のいずれかに記載の核医学診断装置において、
前記補正係数を記憶する記憶手段を備え、
前記吸収補正手段は前記記憶手段から前記補正係数を読み出すことを特徴とする核医学診断装置。
【請求項１１】
請求項１から請求項１０のいずれかに記載の核医学診断装置において、
被写体に対する前記放射線吸収材の吸収係数の差は、被写体の吸収係数の５％以内であることを特徴とする核医学診断装置。
【請求項１２】
請求項１から請求項１０のいずれかに記載の核医学診断装置において、
被写体に対する前記放射線吸収材の吸収係数の差は、トランスミッションデータによって被写体の吸収係数を推定した場合に生じる誤差と同程度であることを特徴とする核医学診断装置。
【請求項１３】
被写体から放出される放射線を検出する検出手段から収集されたエミッションデータを吸収補正するエミッションデータの吸収補正方法において、
前記検出手段の内側に形成される所定領域の内側と被写体との間に満たされた放射線吸収材を透過した放射線を検出する前記検出手段から収集されたエミッションデータに対して、前記検出手段および前記所定領域の相対的な位置情報と、被写体および前記放射線吸収材の各吸収係数に応じた推定吸収係数とから与えられる補正係数に基づいて吸収補正し、
前記推定吸収係数は、前記所定領域に一律に対応付けられた定数であり、
前記吸収補正する過程では、エミッションデータが所定領域内において前記推定吸収係数で吸収されたものとして、エミッションデータを吸収補正することを特徴とするエミッションデータの吸収補正方法。
【請求項１４】
被写体から放出される放射線を検出する検出手段から収集されたエミッションデータを吸収補正するエミッションデータの吸収補正方法において、
前記検出手段の内側に形成される所定領域の内側と被写体との間に満たされた放射線吸収材を透過した放射線を検出する前記検出手段から収集されたエミッションデータに対して、前記検出手段および前記所定領域の相対的な位置情報と、被写体および前記放射線吸収材の各吸収係数に応じた推定吸収係数とから与えられる補正係数に基づいて吸収補正し、
前記推定吸収係数は、前記所定領域に一律に対応付けられた定数であり、
前記検出手段は複数の検出器素子を有し、
前記補正係数は、各エミッションデータに対応する２つの検出素子を結ぶ仮想線をそれぞれ検出素子対として、検出素子対が前記所定領域を通る距離に応じてエミッションデータ毎に算出される値であることを特徴とするエミッションデータの吸収補正方法。
【発明の詳細な説明】
【技術分野】
【０００１】
この発明は、被写体から放出される放射線を検出する核医学診断装置に係り、特に、収集されたエミッションデータを吸収補正する技術に関する。
【背景技術】
【０００２】
核医学診断装置は、放射性薬剤が投与された被写体から放出される放射線を検出する検出ユニットと、検出ユニットから収集されたエミッションデータについて補正係数を用いて吸収補正する吸収補正部と、を備えている。また、断層像を取得する装置にあっては、収補正されたエミッションデータに基づいて断層像を生成する再構成処理部をさらに備えている。ここで、吸収補正は、定量的な断層像を得るために不可欠な処理である。
【０００３】
人体または動物の全体を被写体とする場合は、軟組織、骨部、肺野などのように不均一な吸収体が混在する。従来の核医学診断装置においても、外部線源を備えた全身用ＰＥＴ（Positron Emission Tomography）装置や、ＰＥＴＣＴ装置によれば、このような被写体に応じた補正係数を適切に求めることができる。具体的には、全身用ＰＥＴ装置は、外部線源から放射された放射線を検出して得られるトランスミッションデータおよびブランクデータから補正係数を取得するように構成されている。このとき、補正係数を直接求める手法のほかに、先ず吸収係数マップを作成し、この吸収係数マップから補正係数を取得する手法がある。また、ＰＥＴＣＴ装置は、Ｘ線撮像系によって得られるＣＴ画像から、ＣＴ値と吸収係数の対応関係を考慮して吸収係数マップを作成し、この吸収係数マップから補正係数を取得するように構成されている。
【０００４】
近年、被写体として人体または動物の一部（例えば、脳、乳房）、あるいは小動物を対象とした核医学診断装置の需要が高まっている。このような装置では、小さい被写体に対してより高い分解能を実現するため、検出ユニットは被写体に近い位置に配置できるようにコンパクトに設計される。ただし、検出ユニットの小型化に伴って、回転機構や遮蔽機構を伴う外部線源やＸ線撮像系を検出ユニットに付設することは困難になる。
【０００５】
しかしながら、例えば脳のように被写体の吸収係数が略均一と仮定できる場合には、エミッションデータからスライス面における被写体の輪郭を求めることが可能である。この手法を用いれば、エミッションデータから吸収係数マップを作成し、補正係数を取得することができる（例えば、非特許文献１参照）。
【非特許文献１】北村圭司、外４名、“（８）ｊＰＥＴ−Ｄ４における各種データ補正法の開発”、平成１７年度  次世代ＰＥＴ装置開発研究報告書、独立行政法人放射線医学総合研究所、平成１８年３月１日、ｐ．４７−５１
【発明の開示】
【発明が解決しようとする課題】
【０００６】
しかしながら、このような構成を有する従来例の場合には、次のような問題がある。
すなわち、従来の装置において、エミッションデータから求めた被写体の輪郭の精度は、エミッションデータ（カウント値）に依存して影響を受けることがある。具体的には、エミッションデータ（カウント値）をある程度収集しなければ、輪郭の誤差を抑えることができない。そのため、長時間にわたって放射線を検出する必要があったり、求めた輪郭をその都度確認する必要がある。このように、外部線源やＸ線撮像系を備えておらず、トランスミッションデータ等やＣＴ画像を取得できない従来の核医学診断装置では、適切な補正係数を求めることができず、エミッションデータを好適に吸収補正することができないという不都合がある。
【０００７】
この発明は、このような事情に鑑みてなされたものであって、外部線源やＸ線撮像系を備えることなく、エミッションデータを適切に吸収補正することができる核医学診断装置およびエミッションデータの吸収補正方法を提供することを目的とする。
【課題を解決するための手段】
【０００８】
この発明は、このような目的を達成するために、次のような構成をとる。
すなわち、請求項１に記載の発明は、被写体から放出された放射線を検出する核医学診断装置において、被写体から放出された放射線を検出する検出手段と、前記検出手段の内側に形成される所定領域の内側と被写体との間に被写体と略等しい吸収係数を有する放射線吸収材を満たす供給手段と、前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、を備え、前記推定吸収係数は、前記所定領域に一律に対応付けられた定数であり、前記吸収補正手段は、エミッションデータが所定領域内において前記推定吸収係数で吸収されたものとして、エミッションデータを吸収補正することを特徴とするものである。
【０００９】
［作用・効果］請求項１に記載の発明によれば、所定領域内に放射性吸収材を満たす給手段を備えることで、検出手段から収集されるエミッションデータは、被写体から放出され、放射線吸収材を透過した放射線を検出して得られたものとすることができる。このようなエミッションデータは被写体を含む所定領域に応じたものである。また、放射性吸収材は被写体と略等しい吸収係数を有するので、所定領域の吸収係数は全体にわたって推定吸収係数で略均一と推定することができる。この推定吸収係数と、検出手段および所定領域の相対的な位置情報とから、所定領域に応じた補正係数が与えられる。したがって、吸収補正手段は、所定領域に応じたエミッションデータについて、所定領域に応じた補正係数に基づいて好適に吸収補正することができる。
【００１０】
ここで、「吸収係数が略等しい」とは、所望の吸収補正をすることができる程度、言い換えれば、所望の補正係数を算出できる範囲内であればよい。
【００１１】
また、請求項３に記載の発明は、被写体から放出された放射線を検出する核医学診断装置において、被写体から放出された放射線を検出する検出手段と、前記検出手段の内側に形成される所定領域の内側と被写体との間に満たされた、被写体と略等しい吸収係数を有する放射線吸収材と、前記検出手段および前記所定領域の相対的な位置情報と、被写体および前記放射線吸収材の各吸収係数に応じた推定吸収係数とから与えられる補正係数に基づいて、前記検出手段から収集されたエミッションデータを吸収補正する吸収補正手段と、を備え、前記推定吸収係数は、前記所定領域に一律に対応付けられた定数であり、前記吸収補正手段は、エミッションデータが所定領域内において前記推定吸収係数で吸収されたものとして、エミッションデータを吸収補正することを特徴とするものである。
【００１２】
［作用・効果］請求項３に記載の発明によれば、所定領域内に放射性吸収材を備えることで、検出手段から収集されるエミッションデータは、被写体から放出され、放射線吸収材を透過した放射線を検出して得られたものであり、被写体を含む所定領域に応じたものである。また、放射性吸収材は被写体と略等しい吸収係数を有するので、所定領域の吸収係数は全体にわたって推定吸収係数で略均一と推定することができる。この推定吸収係数と、検出手段および所定領域の相対的な位置情報とから、所定領域に応じた補正係数が与えられる。したがって、吸収補正手段は、所定領域に応じたエミッションデータについて、所定領域に応じた補正係数に基づいて好適に吸収補正することができる。
【００１３】
上述した発明において、さらに、前記放射線吸収材を前記所定領域に供給する供給手段を備えていることが好ましい（請求項５）。供給手段によって、所定領域内を放射線吸収材で好適に満たすことができる。
【００１４】
上述した発明において、前記所定領域は、前記検出手段の内側面で区画されることが好ましい（請求項６）。所定領域の外形を検出手段の内周面と一致させることで、位置情報を簡略化できる。また、装置構成も簡略化できる。
【００１５】
上述した発明において、さらに、前記検出手段の内側に配置され、前記放射線吸収材および被写体を収容する収容部材を備え、前記所定領域は前記収容部材で区画されることが好ましい（請求項７）。所定領域を形成する収容部材を備えることで、放射線吸収材を所定領域に好適に満たすことができる。
【００１６】
上述した発明において、前記放射線吸収材は、水または肉の少なくともいずれかを含むことが好ましい（請求項８）。水または肉のいずれも被写体の吸収係数と略等しく、好適な放射線吸収材とすることができる。
【００１７】
上述した発明において、前記位置情報と前記推定吸収係数とに基づいて前記補正係数を算出する算出手段を備え、前記吸収補正手段は前記算出手段によって得られた補正係数を用いて処理することが好ましい（請求項９）。算出手段を備えることで、好適に補正係数を与えることができる。
【００１８】
上述した発明において、前記補正係数を記憶する記憶手段を備え、前記吸収補正手段は前記記憶手段から前記補正係数を読み出すことが好ましい（請求項１０）。記憶手段を備えることで、好適に補正係数を与えることができる。
【００１９】
上述した発明において、被写体に対する前記放射線吸収材の吸収係数の差は、被写体の吸収係数の５％以内であることが好ましい（請求項１１）。請求項１と請求項２に記載する「被写体と略等しい吸収係数」として、被写体と放射線吸収材との各吸収係数の差が被写体の吸収係数の５％以下であれば、補正係数を適切に与えることができる。
【００２０】
上述した発明において、被写体に対する前記放射線吸収材の吸収係数の差は、トランスミッションデータによって被写体の吸収係数を推定した場合に生じる誤差と同程度であることが好ましい（請求項１２）。請求項１から請求項４に記載する「被写体と略等しい吸収係数」として、被写体と放射線吸収材との各吸収係数の差が、仮にトランスミッションデータによって推定したならば生じるであろう誤差の範囲内であれば、補正係数を適切に与えることができる。
【００２３】
また、請求項１３に記載の発明は、被写体から放出される放射線を検出する検出手段から収集されたエミッションデータを吸収補正するエミッションデータの吸収補正方法において、前記検出手段の内側に形成される所定領域の内側と被写体との間に満たされた放射線吸収材を透過した放射線を検出する前記検出手段から収集されたエミッションデータに対して、前記検出手段および前記所定領域の相対的な位置情報と、被写体および前記放射線吸収材の各吸収係数に応じた推定吸収係数とから与えられる補正係数に基づいて吸収補正し、前記推定吸収係数は、前記所定領域に一律に対応付けられた定数であり、前記吸収補正する過程では、エミッションデータが所定領域内において前記推定吸収係数で吸収されたものとして、エミッションデータを吸収補正することを特徴とするものである。
【００２４】
［作用・効果］請求項１３に記載の発明によれば、収集されたエミッションデータは、被写体から放出され、放射線吸収材を透過した放射線を検出して得られたものであり、被写体を含む所定領域に応じたものである。また、放射性吸収材は被写体と略等しい吸収係数を有するので、所定領域内の吸収係数は全体にわたって推定吸収係数で略均一と推定することができる。この推定吸収係数と、検出手段および所定領域の相対的な位置情報とから、所定領域に応じた補正係数が与えられる。このような所定領域に応じた補正係数に基づいて、上述のエミッションデータを吸収補正するので、エミッションデータを好適に吸収補正することができる。
【００２５】
なお、本明細書は、次のような核医学診断装置に係る発明も開示している。
【００２６】
（１）請求項１から請求項１２のいずれかに記載の核医学診断装置において、前記放射線吸収材の温度を調節する温調手段を備えていることを特徴とする核医学診断装置。
【００２７】
前記（１）に記載の発明によれば、被写体の快適性を向上させることができる。
【発明の効果】
【００２８】
この発明に係る核医学診断装置によれば、所定領域内に放射性吸収材を満たす供給する供給手段を備えることで、検出手段から収集されるエミッションデータは、被写体から放出され、放射線吸収材を透過した放射線を検出して得られたものとすることができ、このようなエミッションデータは被写体を含む所定領域に応じたものである。また、放射性吸収材は被写体と略等しい吸収係数を有するので、所定領域の吸収係数は全体にわたって推定吸収係数で略均一と推定することができる。この推定吸収係数と、検出手段および所定領域の相対的な位置情報とから、所定領域に応じた補正係数が与えられる。したがって、吸収補正手段は、所定領域に応じたエミッションデータについて、所定領域に応じた補正係数に基づいて好適に吸収補正することができる。
【実施例１】
【００２９】
以下、図面を参照してこの発明の実施例１を説明する。
図１は、実施例１に係るＰＥＴ（Positron Emission Tomography）装置の全体構成を示すブロック図であり、図２はガントリの水平断面図である。なお、本実施例では、核医学診断装置として、被検体（人体）Ｍの乳房を被写体ｍとする用途のＰＥＴ装置を例に採って説明する。
【００３０】
本実施例に係るＰＥＴ装置は、被検体Ｍをうつ伏せの状態で載置する天板１を備えている。天板１には開口が形成されており、この開口の下には、ガントリ３が設けられている。ガントリ３の中央には、その内周面で区画される中空部Ａが形成されている。説明の便宜上、以下では中空部Ａの中心軸を鉛直軸ｇと呼ぶ。ただし、中空部Ａの中心軸は鉛直方向に限定されず、その向きは装置構成によって適宜に選択変更される。なお、実施例１では、図２に示すように、天板１に対して単一のガントリ３を設けているが、これに限られることなく、複数個のガントリ３を配備するように構成してもよい。中空部Ａは、この発明における所定領域に相当する。
【００３１】
ガントリ３には、検出ユニット５が設けられている。検出ユニット５は、複数個の検出器ブロック７が鉛直軸ｇを中心とした円環状に配列され、かつ、鉛直軸ｇ方向に多段に配列されて構成されている。図１では、検出器ブロック７を３段重ねた様子を模式的に示している。各検出器ブロック７は、ガンマ線を光に変換するシンチレータと、光を電気信号に変換する光電子増倍管とを備えている（いずれも図示省略）。そして、このように構成される検出器ブロック７においてガンマ線を検出した位置を弁別できる最小区画を検出器素子ｄと呼ぶ（後述する図３参照）。検出ユニット５は、この発明における検出手段に相当する。
【００３２】
ガントリ３の下部には、中空部Ａの底面を閉塞する底板１１が設けられている。このような構成により、ガントリ３の内周面Ｓと底板１１が、中空部Ａを内部空間とする収容部材を構成している。
【００３３】
また、この底板１１には供給配管１３の一端が接続されており、供給配管１３はガントリ３の中空部Ａと連通している。供給配管１３の他端側は水供給源１５に接続されている。また、供給配管１３には開閉弁１７が設けられている。この開閉弁１７は図示省略の供給制御部によって操作される。これにより、中空部Ａ内に水が満たされるように構成されている。なお、水の吸収係数は、０．０９５ｃｍ−１であり、被写体ｍの吸収係数と略等しい。供給配管１３と開閉弁１７は、この発明における供給手段に相当する。また、中空部Ａ内に満たされた水は、この発明における放射線吸収材に相当する。
【００３４】
各検出器ブロック７には収集部２１が接続されている。収集部２１の出力側には、吸収補正部２３が接続され、吸収補正部２３の出力側に再構成部２５が接続されている。吸収補正部２３の入力側には、補正係数算出部２７も接続されている。再構成部２５にはモニタ３１が接続されている。
【００３５】
収集部２１は、グルーピング回路や同時係数回路や収集メモリ等を備えて、２つの検出器素子ｄからの電気信号が同時計数と判定されると、この事象をエミッションデータとして収集する。
【００３６】
補正係数算出部２７は、検出ユニット５と中空部Ａの相対的な位置情報と、推定吸収係数μとが予め設定されている。具体的には、位置情報は、各検出器素子ｄとガントリ３の内周面Ｓとの相対的な位置関係に関する情報である。また、推定吸収係数μは、被写体ｍおよび水の各吸収係数を考慮した値であり、定数である。そして、任意の２つの検出器素子ｄを結ぶ仮想的な直線（以下、検出素子対ＬＯＲ（Line Of Response）と呼ぶ）がガントリ３の中空部Ａを通る距離Ｌを位置情報に基づいて算出する。次に、算出した距離Ｌと予め設定されている推定吸収係数μとから補正係数を算出する。
【００３７】
吸収補正部２３は算出された補正係数を用いてエミッションデータを吸収補正する。再構成部２５は、補正されたエミッションデータに基づいて再構成処理を行い、断層像を作成する。作成された断層像は適宜、モニタ３１に出力される。
【００３８】
これら収集部２１と吸収補正部２３と再構成部２５と補正係数算出部２７とは、所定のプログラムを読み出して実行する中央演算処理装置（ＣＰＵ）や、各種情報を記憶するＲＡＭ（Random-Access Memory）や固定ディスク等の記憶媒体等で実現される。
【００３９】
次に、実施例１に係るＰＥＴ装置の動作について説明する。
【００４０】
被検体Ｍを天板１にうつ伏せの状態で載置するとともに、被写体（乳房）ｍをガントリ３の中空部Ａに収める。続いて、図示省略の供給制御部の操作により、開閉弁１７が開放し、ガントリ３の中空部Ａに水を供給する。中空部Ａ内と被写体ｍとの間に水が満たされると、開閉弁１７を閉止し、水の供給を停止する。
【００４１】
次に、被検体Ｍに陽電子放出核種で標識された放射性薬剤を投与する。被写体ｍ内で陽電子放出核種から放出された陽電子が消滅し、２本のガンマ線が互いに１８０度反対方向に放出される。放出されたガンマ線の一部は、被写体ｍおよび中空部Ａ内の水を透過して検出ユニット５に入射する。検出ユニット５は、入射されたガンマ線を電気信号に変換して出力する。
【００４２】
収集部２１は、グルーピング回路を経由させて電気信号からガンマ線が入射した位置（検出器素子ｄ）を弁別するとともに、同時計数回路によって異なる２つの位置（検出器素子ｄ）からの信号が同時計数であるか否かを判定する。同時計数であると判定されると、収集メモリにおいて、２つの検出器素子ｄに応じた検出素子対ＬＯＲに対応するアドレスのエミッションデータ（カウント値）に１を加算する。
【００４３】
このように収集部２１によって収集されたエミッションデータは、ノーマライズ処理（図示省略）されてから、吸収補正部２３に出力される。このノーマライズ処理によって、検出器素子ｄ間の利得や立体角などの差異を考慮した検出器素子ｄの感度補正が行われる。
【００４４】
補正係数算出部２７は、予め設定されている検出ユニット５とガントリ３との相対的な位置情報に基づいて、各検出器素子対ＬＯＲが中空部Ａを通過する距離Ｌを算出する。そして、算出した距離Ｌと予め設定される推定吸収係数μとから補正係数を算出する。
【００４５】
図３を参照して説明する。図３は、実施例１に係る吸収係数マップの模式図である。図３に示される吸収係数マップは、中空部Ａに応じたものである。すなわち、吸収係数マップの輪郭Ｅは、中空部Ａの輪郭（ガントリ３の内周面Ｓを所定のスライス面で切り取った形状）に相当し、ガントリ３の内周面Ｓの位置情報から与えられる。そして、この輪郭Ｅの内側の各位置には推定吸収係数μが一律に対応付けられている。また、各検出器素子ｄの位置も、各検出器素子ｄとガントリ３の内周面Ｓとの相対的な位置関係に関する情報から与えられる。
【００４６】
このような吸収係数マップから明らかなように、任意の検出器素子対ＬＯＲと輪郭Ｅとの相対的な位置関係がわかり、輪郭Ｅと検出器素子対ＬＯＲとの交点Ｐおよび交点Ｑの位置も求めることができる。補正係数算出部２７は、各検出器素子対ＬＯＲについて交点Ｐおよび交点Ｑの位置から距離Ｌを算出し、算出した距離Ｌを次に示す式（１）に代入することで、各検出器素子対ＬＯＲに応じた補正係数を算出する。なお、式（１）において、Ｋは補正係数である。
【００４７】
Ｋ＝１／ｅｘｐ（−μ・Ｌ）    ………（１）
【００４８】
なお、上述した視覚的な吸収係数マップを作成しなくても、補正係数を算出することはできる。したがって、補正係数算出部２７において吸収係数マップを作成するか否かは、適宜に設計される事項である。補正係数算出部２７は、この発明における算出手段に相当する。
【００４９】
吸収補正部２３は、収集部２１によって収集されたエミッションデータに、補正係数算出部２７から算出された補正係数を乗じて、エミッションデータを吸収補正する。
【００５０】
再構成部２５は、吸収補正されたエミッションデータに基づいて再構成処理を行い、断層像を生成する。そして、適宜に生成された断層像をモニタ３１に出力する。再構成処理としては、フィルタ逆投影法（filtered back projection）や逐次近似法（iterative approximation method）や３Ｄフーリエ変換法、３Ｄ−ＦＢＰ法、リビニング法（rebinning）、３Ｄ再投影法、ＦＯＲＥ法（Fourier rebinning）など、既存の手法が適宜に採用される。
【００５１】
このように、実施例１に係るＰＥＴ装置によれば、ガントリ３の内周面Ｓと底板１１とで囲まれる中空部Ａ内と被写体ｍとの隙間に水を満たすように構成されているので、検出ユニット５から収集されるエミッションデータは、被写体ｍから放出され、水を透過したガンマ線を検出して得られたものであり、被写体ｍと水を含む中空部Ａに応じたものである。このように、中空部Ａ内に水を満たすことで、被写体ｍとは別個に既知の形状の測定系を作り出している。また、水は被写体ｍと略等しい吸収係数を有するので、中空部Ａの吸収係数は一律に推定吸収係数μであると推定できる。したがって、補正係数算出部２７は、この推定吸収係数μと、検出ユニット５とガントリ３との相対的な位置情報とから、中空部Ａに応じた補正係数を算出できる。したがって、吸収補正部２３は、中空部Ａに応じたエミッションデータについて、中空部Ａに応じた補正係数に基づいて好適に吸収補正することができる。
【００５２】
また、輪郭の抽出等は行わず、既知の距離と吸収係数を用いた計算のみによって補正係数を算出するので、エミッションデータから輪郭を抽出して補正係数を算出する場合に比べて、補正係数の精度が安定する。
【００５３】
また、供給配管１３および開閉弁１７を備えることで、好適に中空部Ａ内に水を満たすことができる。
【００５４】
また、被写体ｍ自体も軟組織のみの乳房であるので、中空部Ａの吸収係数を一律に推定吸収係数μとしても、十分精度よく推定することができる。
【実施例２】
【００５５】
次に、図面を参照してこの発明の実施例２を説明する。
図４は、実施例２に係るＰＥＴ装置の全体構成を示すブロック図であり、図５は実施例２に対応した吸収係数マップの模式図である。なお、実施例１と同じ構成については同符号を付すことで詳細な説明を省略する。
【００５６】
実施例２では、実施例１で説明したガントリ３を省略し、検出ユニット５を露出させている。検出ユニット５は、実施例１と同様に複数個の検出器ブロック７が鉛直軸ｇを中心とした円環状に配列され、かつ、鉛直軸ｇ方向に多段（４段）に配列されている。これにより、検出ユニット５の内側面（内周面）で区画される中空部Ｂが形成される。また、底板１１は検出ユニット５の下部に設置され、中空部Ｂの底面を閉塞する。中空部Ｂは、この発明における所定領域に相当する。
【００５７】
また、実施例２では、実施例１で説明した供給配管１３と水供給源１５と開閉弁１７とを備えていない。そのかわり、中空部Ｂの内側と被写体ｍとの間には肉片４１が詰められている。肉片４１としては、豚肉や牛肉などの獣肉、またはこれを主成分とした粒状物やゲル状物が例示される。肉片４１は、被写体ｍの隙間を埋めることができる程度に、比較的小さい大きさを分割されており、各肉片４１はそれぞれ弾力性を有して容易に変形可能である。また、肉片４１の吸収係数は被写体ｍの吸収係数と略等しい。ここで、「略」とは、被写体ｍに対する肉片４１の吸収係数の差が、被写体ｍの吸収係数の５％以内であることが好ましい。さらに望ましくは３％以内である。別の観点からみると、肉片４１と被写体ｍとの各吸収係数の差が、トランスミッションデータによって被写体ｍの吸収係数を推定した場合に生じる誤差と同程度であることが好ましい。この場合、別途、被写体ｍに対して外部線源を用いてガンマ線を照射してトランスミッションデータを取得し、このトランスミッションデータから推定された吸収係数に含まれる誤差を算出して、被写体ｍと肉片４１との各吸収係数の差が算出した誤差と同程度であるような肉片４１を適宜に選択決定することによって、実現できる。肉片４１は、この発明における放射線吸収部材に相当する。
【００５８】
補正係数算出部２７は、検出ユニット５と所定領域Ｂとの相対的な位置情報と、推定吸収係数μとが予め設定されている。本実施例２では、検出ユニット５の内側面（内周面）が中空部Ｂの位置を規定しているので、検出ユニット５と所定領域Ｂとの相対的な位置情報は、検出ユニット５の位置情報（各検出器素子ｄの位置に関する情報）で足りる。また、推定吸収係数μは、被写体ｍと肉片４１との各吸収係数を考慮した値であり、定数である。そして、任意の検出素子対ＬＯＲ（Line Of Response）が、中空部Ｂを通る距離Ｌを位置情報に基づいて算出する。次に、算出した距離Ｌと予め設定される推定吸収係数μとから補正係数を算出する。
【００５９】
次に、実施例２に係るＰＥＴ装置の動作について説明する。なお、実施例１と同じ動作については簡略して説明する。
【００６０】
被写体（乳房）ｍを検出ユニット５の内周面で区画される中空部Ｂに収めつつ、肉片４１を中空部Ｂ内と被写体ｍとの間に埋める。
【００６１】
次に、被検体Ｍに放射性薬剤を投与する。検出ユニット５は、被写体ｍから放射され、肉片４１を透過したガンマ線を検出する。収集部２１は、検出ユニット５からエミッションデータを収集する。
【００６２】
補正係数算出部２７は、予め設定されている検出ユニット５の位置情報に基づいて、各検出器素子対ＬＯＲが中空部Ｂを通過する距離Ｌを算出する。そして、算出した距離Ｌと予め設定される推定吸収係数μとから補正係数を算出する。
【００６３】
図５を参照して説明する。図５は、実施例２に係る吸収係数マップの模式図である。図５に示される吸収係数マップは、中空部Ｂに応じたものである。すなわち、吸収係数マップの輪郭Ｅは、中空部Ｂの輪郭に相当し、これは検出ユニット５の位置情報のみから与えられる。そして、この輪郭Ｅの内側領域の各位置には推定吸収係数μが一律に対応付けられている。
【００６４】
このような吸収係数マップから明らかなように、任意の検出器素子対ＬＯＲと輪郭Ｅとの交点Ｐおよび交点Ｑは、検出器素子ｄの位置そのものである。補正係数算出部２７は、各検出器素子対ＬＯＲについて交点Ｐおよび交点Ｑの位置から距離Ｌを算出し、上述した式（１）を用いて各検出器素子対ＬＯＲに応じた補正係数を算出する。
【００６５】
吸収補正部２３は、補正係数算出部２７から算出された補正係数を用いてエミッションデータを吸収補正する。再構成処理部２５は、吸収補正されたエミッションデータに基づいて断層像を生成する。
【００６６】
このように、実施例２に係るＰＥＴ装置によれば、中空部Ｂ内と被写体ｍとの間に肉片４１を満たすように構成されているので、検出ユニット５から収集されるエミッションデータは、中空部Ｂに応じたものである。また、肉片４１は被写体ｍと略等しい吸収係数を有するので、中空部Ｂの吸収係数は一律に推定吸収係数μであると推定できる。したがって、補正係数算出部２７は、この推定吸収係数μと、検出ユニット５の位置情報から、中空部Ｂに応じた補正係数を算出できる。したがって、吸収補正部２３は、中空部Ｂに応じたエミッションデータについて、中空部Ｂに応じた補正係数に基づいて好適に吸収補正することができる。
【００６７】
また、検出ユニット５の内側面（内周面）が中空部Ｂの輪郭となるように構成されているので、補正係数算出部２７には、検出ユニット５のみの位置情報を有していればよく、また、距離Ｌを算出する処理も簡略化される。
【００６８】
また、肉片４１を中空部Ｂ内に埋めるように構成することで、実施例１で説明した供給配管１３等を省略することができ、ＰＥＴ装置の構成を簡略化することができる。また、肉片４１は被写体ｍと略等しい吸収係数を有するので、補正係数を好適に得ることができる。
【実施例３】
【００６９】
次に、図面を参照してこの発明の実施例３を説明する。
図６は、実施例３に係るＰＥＴ装置の全体構成を示すブロック図であり、図７は実施例３に対応した吸収係数マップの模式図である。なお、実施例１と同じ構成については同符号を付すことで詳細な説明を省略する。
【００７０】
実施例３では、実施例１で説明したガントリ３を省略し、検出ユニット５を露出させている。検出ユニット５は、実施例１と同様に複数個の検出器ブロック７が鉛直軸ｇを中心とした円環状に配列され、かつ、鉛直軸ｇ方向に多段（４段）に配列されている。さらに、各検出器ブロック７を独立に、鉛直軸ｇに向かって水平方向に進退させる移動機構４５が配備されている。この移動機構４５は、たとえばシリンダー機構が例示される。移動制御部４７は、移動機構４５を操作して各検出器ブロック７の移動制御を行う。また、移動機構４５に対する操作量を、各検出器ブロック７の位置を計測した計測結果として補正係数算出部２７に出力する。移動機構４５と移動制御手段４７は、それぞれこの発明における移動手段と移動制御手段に相当する。また、領域Ｃは、この発明における所定領域に相当する。
【００７１】
補正係数算出部２７には、推定吸収係数μが予め設定されている。この推定吸収係数μは、被写体ｍの吸収係数のみを考慮した値であり、定数である。また、移動制御部４７から得た操作量に基づいて、検出ユニット５の位置情報を算出する。そして、算出された位置情報に基づいて、任意の検出素子対ＬＯＲ（Line Of Response）が被写体ｍを通る距離Ｌを算出する。次に、算出した距離Ｌと予め設定される推定吸収係数μとから補正係数を算出する。
【００７２】
次に、実施例３に係るＰＥＴ装置の動作について説明する。なお、実施例１と同じ動作については簡略して説明する。
【００７３】
被写体（乳房）ｍをガントリ３の中空部に収める。続いて、移動制御部４７は、各検出器ブロック７がそれぞれ被写体ｍに当接するまで、軸ｇに向けて前進させる。各検出器ブロック７の位置が決められると、移動制御部４７は移動機構４５に対する操作量を補正係数算出部２７に出力する。
【００７４】
次に、被検体Ｍに放射性薬剤を投与する。検出ユニット５は、被写体ｍから放射されたガンマ線を検出する。収集部２１は、検出ユニット５からエミッションデータを収集する。
【００７５】
補正係数算出部２７は、移動機構４５に対する操作量に基づいて、検出ユニット５の位置情報を算出する。そして、各検出器素子対ＬＯＲが被写体ｍを通る距離Ｌを算出する。そして、算出した距離Ｌと予め設定される推定吸収係数μとから補正係数を算出する。
【００７６】
図７を参照して説明する。図７は、実施例３に係る吸収係数マップの模式図である。図７に示される吸収係数マップは、被写体ｍに応じたものである。すなわち、吸収係数マップの輪郭Ｅは被写体ｍの輪郭に相当し、各検出器ブロック７の位置情報によって与えられる。なお、図７では、輪郭Ｅが検出器ブロック７間で途切れているが、適宜に輪郭Ｅを延長して互いに連結するような処理を行ってもよい。そして、この輪郭Ｅの内側領域の各位置には推定吸収係数μが一律に対応付けられている。
【００７７】
このような吸収係数マップから明らかなように、任意の検出器素子対ＬＯＲと輪郭Ｅとの交点Ｐおよび交点Ｑは、検出器素子ｄの位置そのものである。補正係数算出部２７は、各検出器素子対ＬＯＲについて交点Ｐおよび交点Ｑの位置から距離Ｌを算出し、上述した式（１）を用いて各検出器素子対ＬＯＲに応じた補正係数を算出する。
【００７８】
図８、図９を参照してより詳細に説明する。図８は、実施例３に係る検出器ブロックの斜視図であり、図９は、検出器素子対と機械的原点との位置関係を模式的に示す図である。点ＯＭはＰＥＴ装置の機械的原点であり、既知である。また、点ＯＡと点ＯＢは、それぞれ検出器ブロック７の中心座標であり、点Ｐと点Ｑはそれぞれ点ＯＡ、点ＯＢを中心とする検出器ブロック７内の検出器素子ｄの点座標である。ここで、機械的原点ＯＭから検出器ブロック７の中心座標ＯＡ、ＯＢに至るベクトルＶＡ，ＶＢは上述の移動制御部４７から得られる操作量に基づいて求められる。また、検出器ブロック７の中心座標ＯＡ、ＯＢから検出器素子ｄの点座標Ｐ、Ｑに至るベクトルＷＡ，ＷＢは検出器ブロック７における検出器素子ｄのアドレス（座標）に基づいて求められる。
【００７９】
すなわち、機械的原点ＯＭから各検出器素子ｄの点座標Ｐ、Ｑに至るベクトルｕＡ，ｕＢも次の式（２）および式（３）によって求められる。
ｕＡ＝ＶＡ＋ＷＡ          ………（２）
ｕＢ＝ＶＢ＋ＷＢ          ………（３）
【００８０】
また、距離Ｌは算出された点座標Ｐ、Ｑに基づいて求められる。
【００８１】
吸収補正部２３は、補正係数算出部２７から算出された補正係数を用いてエミッションデータを吸収補正する。再構成処理部２５は、吸収補正されたエミッションデータに基づいて断層像を生成する。
【００８２】
ここで、同時計数と判定されるごとに検出素子対ＬＯＲが求められる場合については、逐次近似型のリストモード再構成アルゴリズムが適用される〔例えばJ Reader et al 1998 Phys.Med Bial.43  835-846 （非特許文献）を参照〕。このリストモード再構成アルゴリズムの画像の更新式は（４）式の通りである。（４）式の更新式が繰り返されることで断層像が求まる。
【００８３】
【数１】
0005396684.tif 000002
【００８４】
ここで、ｆk j はｋ回目の反復における画素ｊの画素値、ａijは画素ｊから出たγ線が検出素子対ＬＯＲｉに検出される確率、Ｍは測定されたイベント（同時計数と判定される事象）の数、Ｉは本撮像条件（検出器配置）における全ＬＯＲの数である。なお、実施例３の装置に適用される画像再構成アルゴリズムで用いられる更新式は（４）式に限られるものではない。
【００８５】
このように、実施例３に係るＰＥＴ装置によれば、検出器ブロック７から収集されるエミッションデータは、被写体ｍに応じたものである。また、移動機構４５を備えることで、検出器ブロック７を被写体ｍに当接するように位置決めすることで、被写体ｍの外形を取得することができる。補正係数算出部２７は、取得された被写体ｍの外形と予め設定されている推定吸収係数μとから、被写体ｍに応じた補正係数を算出する。したがって、吸収補正部２３は、被写体ｍに応じたエミッションデータについて、被写体ｍに応じた補正係数に基づいて好適に吸収補正することができる。
【００８６】
また、実施例１、実施例２で説明したように、中空部Ａ、Ｂを水や肉片４１で満たすことがないので、ＰＥＴ装置の構成を簡略化することができる。
【００８７】
この発明は、上記実施形態に限られることはなく、下記のように変形実施することができる。
【００８８】
（１）上述した各実施例では、被検体Ｍの乳房を被写体ｍとしたが、これに限られるものではない。被検体Ｍのその他の部位、小動物全体を被写体としてもよい。
【００８９】
（２）上述した実施例１、２では、放射線吸収材として水または肉片４１を説明したが、被写体ｍと略等しい吸収係数を有していれば、適宜に選択変更することができる。ここで、実施例２でも説明したが、「略等しい」とは、被写体ｍに対する放射線吸収材の吸収係数の差が、被写体ｍの吸収係数の５％以内であることが好ましく、さらに望ましくは３％以内である。あるいは、放射線吸収材と被写体ｍとの各吸収係数の差が、トランスミッションデータによって被写体ｍの吸収係数を推定した場合に生じる誤差と同程度であることが好ましい。そして、具体的に選択される放射線吸収材は、液体、固体（粉状物、粒状物）、あるいはゲル状物のいずれでもよい。
【００９０】
（３）上述した各実施例で説明した各構成を、適宜に組み合わせ、変更してもよい。すなわち、実施例１で説明したガントリ３の中空部Ａ内に実施例２で説明した肉片４１を満たすように構成してもよい。また、実施例２で説明した検出ユニット５の中空部Ｂに実施例１で説明した供給配管１３を連通接続させて、中空部Ｂ内に水を満たすように構成してもよい。また、放射線吸収部材として水と肉片４１の混合物を用いてもよい。
【００９１】
（４）上述した実施例１、２で説明した補正係数算出部２７は、予め補正係数が記憶されている記憶部に変更してもよい。この変形実施例に係るＰＥＴ装置の全体構成を示すブロック図を図１０に示す。すなわち、実施例１で説明した検出ユニット５とガントリ３との相対的な位置情報、または、実施例２で説明した検出ユニット５の位置情報が常に同じ場合であって、推定吸収係数μも常に同じときは、各検出器素子対ＬＯＲに応じた補正係数も同じ値をとる。したがって、このような場合には、予め算出した補正係数自体を記憶する記憶部５１を備え、吸収補正部２３が記憶部５１から補正係数を読み出し可能に構成してもよい。
【００９２】
（５）上述した実施例１では、ガントリ３の内周面Ｓと底板１１が、中空部Ａを内部空間とする収容部材を構成したが、これに限られない。図１０を参照する。図示するように、ガントリ３の中空部Ａ内（検出ユニット５の内側）に被写体ｍを収める容器５３を備えて、この容器５３に供給配管１３を連通接続するように構成してもよい。この場合は、容器５３は、この発明における収容部材に相当し、容器５３で区画される領域がこの発明における所定領域に相当する。
【００９３】
（６）上述した実施例１で説明した、中空部Ａに満たされる水については、特に説明しなかったが、水の温度調節をする温調部５５をさらに備えるように構成してもよい（図１０参照）。これによれば、快適に被写体ｍの診断を快適に行うことができる。
【００９４】
（７）上述した各実施例では、検出ユニット５の中空部（Ａ、Ｂ）が鉛直軸ｇに向いた、いわゆる水平姿勢で配備された検出ユニット５を備えていたが、検出ユニット５の姿勢は適宜に変更することができる。また、実施例１、２では、ガントリ３または検出ユニット５の下部に底板１１を設置していたが、検出ユニット５の姿勢に応じて適宜に変更することができる。また、ガントリ３と底板１１を一体に構成するように変更してもよい。
【００９５】
（８）実施例３では、移動機構４５は、検出器ブロック７単位で移動させるものとしたが、検出ユニット５の内側面（内周面）を被写体ｍに当接するように変形することができれば、適宜に変更してもよい。たとえば、検出器ブロック７を構成するシンチレータのみを変形してもよい。また、検出ユニット５の内側面（内周面）を被写体ｍに当接するかわりに、ガントリ３の内周面を当接するように変更してもよい。すなわち、実施例１で説明したガントリ３を備え、このガントリ３内に検出器ブロック７を固定的に収容し、かつ、ガントリ３の内周面が被写体ｍに当接するまで変形可能に構成してもよい。この場合には、ガントリ３の内周面の位置を計測する計測手段を備えて、この計測手段から得られた計測結果を補正係数算出部２７に出力するように構成される。
【００９６】
（９）上述した各実施例では、再構成部２５を備えていたが、これを省略して被写体ｍの投影像のみを得るように変更してもよい。また、上述した各実施例では、リング状の検出ユニット５を被写体ｍの周囲を配置していたが、リング状でなくてもよい。たとえば、被写体ｍを挟んで対向配置される２または３以上に分離した検出ユニットを備えるように構成してもよい。
【００９７】
（１０）上述した各実施例では、ＰＥＴ装置を例にとって説明したが、この発明は放射性薬剤が投与された被写体ｍから発生した放射線を検出する核医学診断装置であれば、ＰＥＴ装置に限定されず、ＳＰＥＣＴ（Single Photon Emission CT）装置などにも適用することができる。
【００９８】
（１１）上述した各実施例では、検出ユニット５を静止させたままでガンマ線を検出する静止型であったが、被写体ｍの周りを回転しながらガンマ線を検出する回転型でもよい。
【図面の簡単な説明】
【００９９】
【図１】実施例１に係るＰＥＴ装置の全体構成を示すブロック図である。
【図２】検出ユニットの水平断面図である。
【図３】実施例１に係る吸収係数マップの模式図である。
【図４】実施例２に係るＰＥＴ装置の全体構成を示すブロック図である。
【図５】実施例２に対応した吸収係数マップの模式図である。
【図６】実施例３に係るＰＥＴ装置の全体構成を示すブロック図である。
【図７】実施例３に対応した吸収係数マップの模式図である。
【図８】実施例３に係る検出器ブロックの斜視図である。
【図９】検出器素子対と機械的原点との位置関係を模式的に示す図である。
【図１０】変形実施例に係るＰＥＴ装置の全体構成を示すブロック図である。
【符号の説明】
【０１００】
３  …ガントリ
５  …検出ユニット
７  …検出器ブロック
１１  …底板
１３  …供給配管
１７  …開閉弁
２３  …吸収補正部
２７  …補正係数算出部
Ａ、Ｂ  …中空部
ｄ  …検出器素子
μ  …推定吸収係数
ＬＯＲ  …検出器素子対
Ｌ  …距離
Ｓ  …ガントリの内周面
４１  …肉片
５１  …記憶部
５３  …容器
５５  …温調部
ｍ  …被写体
【図１】
0005396684.tif 000003
【図２】
0005396684.tif 000004
【図３】
0005396684.tif 000005
【図４】
0005396684.tif 000006
【図５】
0005396684.tif 000007
【図６】
0005396684.tif 000008
【図７】
0005396684.tif 000009
【図８】
0005396684.tif 000010
【図９】
0005396684.tif 000011
【図１０】
0005396684.tif 000012